(57)【要約】【課題】  高解像度実現に有利な電子放出素子及びその製造方法を提供すること。【解決手段】  本発明は、基板と、基板上に形成されるカソード電極と、カソード電極に電気的に連結される電子放出部と、第１絶縁層を隔ててカソード電極上に形成され、電子放出部が基板上に露出されるようにする複数の開口部を有するゲート電極と、第２絶縁層を隔てて第１絶縁層及びゲート電極上に形成され、ゲート電極の開口部に対応する位置で、ゲート電極の開口部より小さい開口部を形成する集束電極とを含む電子放出素子を開示する。【選択図】  図１
2006073510.tif 000002
【特許請求の範囲】
【請求項１】
基板と；
前記基板上に形成されるカソード電極と；
前記カソード電極に電気的に連結される電子放出部と；
第１絶縁層を隔てて前記カソード電極上に形成され、前記電子放出部が基板上に露出されるようにする複数の開口部を有するゲート電極と；
第２絶縁層を隔てて前記第１絶縁層及びゲート電極上に形成され、前記ゲート電極の開口部に対応する位置で、ゲート電極の開口部よりも小さい開口部を形成する集束電極と；
を含むことを特徴とする電子放出素子。
【請求項２】
前記集束電極の開口部が前記電子放出部の幅よりも広いか又は同一な幅を有することを特徴とする請求項１に記載の電子放出素子。
【請求項３】
前記第２絶縁層が前記第１絶縁層よりも大きい厚さを有することを特徴とする請求項１に記載の電子放出素子。
【請求項４】
前記第２絶縁層が、前記集束電極の開口部と貫通できる開口部を形成し、前記第２絶縁層の開口部が、前記集束電極から基板に行くほどその幅が漸進的に広くなることを特徴とする請求項１に記載の電子放出素子。
【請求項５】
前記第２絶縁層が、互いに異なるエッチング率を有する異種絶縁層の多層構造からなることを特徴とする請求項４に記載の電子放出素子。
【請求項６】
前記集束電極と遠い絶縁層であるほど大きいエッチング率を有することを特徴とする請求項５に記載の電子放出素子。
【請求項７】
前記第２絶縁層の開口部側壁に提供される２次電子放出層をさらに含むことを特徴とする請求項４に記載の電子放出素子。
【請求項８】
前記電子放出部が、カーボンナノチューブ、グラファイト、グラファイトナノファイバー、ダイアモンド、ダイアモンド状カーボン、Ｃ６０、シリコンナノワイヤーのうちのいずれか一つ又はこれらの組み合わせからなることを特徴とする請求項１に記載の電子放出素子。
【請求項９】
前記基板に対向配置される他側基板に形成される少なくとも一つのアノード電極、及びアノード電極のいずれか一面に形成される蛍光層をさらに含むことを特徴とする請求項１に記載の電子放出素子。
【請求項１０】
互いに対向配置される第１基板及び第２基板と；
前記第１基板上に形成されるカソード電極と；
前記カソード電極に電気的に連結される電子放出部と；
絶縁層を隔てて前記カソード電極上に形成され、前記電子放出部が第１基板上に露出されるようにする複数の開口部を有するゲート電極と；
前記第１基板及び第２基板と一定の間隔をおいて両基板の間に設置され、前記ゲート電極の開口部と対応する位置で、ゲート電極の開口部よりも小さい開口部を形成するグリッド電極と；
を含むことを特徴とする電子放出素子。
【請求項１１】
前記第２基板に形成される少なくとも一つのアノード電極、及びアノード電極のいずれか一面に形成される蛍光層をさらに含むことを特徴とする請求項１０に記載の電子放出素子。
【請求項１２】
（ａ）基板上にカソード電極、第１絶縁層、及びゲート電極を順に形成する段階と；
（ｂ）前記ゲート電極及び第１絶縁層に開口部を形成する段階と；
（ｃ）前記第１絶縁層及びゲート電極上に、任意のエッチング液に対してエッチング率が大きな絶縁層からエッチング率が小さな絶縁層の順で異種絶縁層を２層以上積層し、第２絶縁層を形成する段階と；
（ｄ）前記第２絶縁層上に集束電極を形成し、集束電極に前記ゲート電極の開口部よりも小さい開口部を形成する段階と；
（ｅ）前記集束電極の開口部によって露出された前記第２絶縁層部位をエッチングして、前記基板に行くほどその幅が広くなる開口部を形成する段階と；
を含むことを特徴とする電子放出素子の製造方法。
【請求項１３】
前記（ｂ）段階と（ｃ）段階との間に、前記第１絶縁層の開口部内側で、前記カソード電極上に電子放出部を形成する段階をさらに含むことを特徴とする請求項１２に記載の電子放出素子の製造方法。
【請求項１４】
前記第１絶縁層の開口部に保護層を形成して、保護層で前記電子放出部を覆い、前記第２絶縁層に開口部を形成した後で前記保護層を除去することを特徴とする請求項１３に記載の電子放出素子の製造方法。
【請求項１５】
前記第２絶縁層を形成する際、第２絶縁層の全体の厚さを前記第１絶縁層の厚さよりも大きく形成することを特徴とする請求項１２に記載の電子放出素子の製造方法。
【発明の詳細な説明】
【技術分野】
【０００１】
本発明は電子放出素子に係り、より詳しくは、電子ビームの集束のために提供される集束電極と、この集束電極を支持する絶縁層の形状を改善した電子放出素子及びその製造方法に関するものである。
【背景技術】
【０００２】
一般的に電子放出素子は、電子源の種類によって熱陰極（hot  cathode）を利用する方式と冷陰極（cold  cathode）を利用する方式とに分類することができる。
【０００３】
ここで、冷陰極を利用する方式の電子放出素子としては、電界エミッタアレイ（field  emitter  array；ＦＥＡ）型、表面電導放出（surface  conduction  emission；ＳＣＥ）型、金属−絶縁層−金属（metal−insulator−metal；ＭＩＭ）型、金属−絶縁層−半導体（metal−insulator−semiconductor；ＭＩＳ）型などが知られている。
【０００４】
この中でＦＥＡ型は、仕事関数（work  function）が低くいか又は縦横比（aspect  ratio）の大きな物質を電子源として使用する場合に真空中で電界によって容易に電子が放出される原理を利用し、モリブデン（Ｍｏ）又はシリコン（Ｓｉ）などを主材質とする先端の尖ったチップ構造物、カーボンナノチューブ、黒鉛、及びダイアモンド状カーボンのようなカーボン系物質を電子源に適用した例が開発されている。
【０００５】
冷陰極を利用する電子放出素子は、基本的に真空容器を構成する二つの基板のうちの第１基板上に、電子放出部と共に電子放出部の電子放出を制御する駆動電極を備え、第２基板上に、蛍光層と共に、第１基板側から放出された電子が蛍光層に向かって効率的に加速されるようにする電子加速電極を備えて、所定の発光又は表示作用をする。
【０００６】
このような電子放出素子において、電子ビームの経路を所望の方向に誘導して素子特性を向上させようとする努力が行われてきた。例えば、電子放出部から放出された電子が第２基板に向かって広く広がって進行する電子放出素子の場合、電子は目的する蛍光層以外にその蛍光層と隣接した他色の蛍光層を同時に発光させるために、画面の色純度が低下する。
【０００７】
したがって、電子ビームの制御のための手段の一つとして集束電極が提案された。通常、集束電極は電子放出部を囲み、電子放出のための構造物の最上部に位置する。この時、駆動電極と集束電極との間には絶縁層が備えられて駆動電極と集束電極との間の通電を防止し、集束電極が電子放出部に対して一定の高さを確保するようにする。また、絶縁層及び集束電極には、電子放出部が第１基板上に露出されるようにする各々の開口部が形成され、電子ビーム移動経路を提供する。
【０００８】
前記絶縁層に開口部を形成する際には主に湿式エッチング工程が適用される。湿式エッチングは、エッチング液に被エッチング体を浸して除去しようとする部位をエッチングする工程であって、等方性エッチング特性を有するため、絶縁層を深くエッチングするほど開口部の幅が広くなる問題点がある。したがって、湿式エッチング工程によっては大きい縦横比の開口部は形成し難しい。
【０００９】
公知のＦＥＡ型電子放出素子では、カソード電極上に電子放出部が形成され、第１絶縁層及びゲート電極が、電子放出部が露出されるようにする各々の開口部を有しながらカソード電極上に形成され、第１絶縁層及びゲート電極上に第２絶縁層及び集束電極が形成される。この場合、第２絶縁層と第１絶縁層とを順にエッチングして各絶縁層に開口部を形成すると、第２絶縁層は自己の開口部が形成された後にも第１絶縁層に開口部が形成されるまで持続的なエッチングが行われる。
【００１０】
その結果、第２絶縁層は第１絶縁層よりも大幅の開口部を有するようになり、これは、集束電極がゲート電極よりも大幅の開口部を有することを意味する。このような構造では、電子ビーム経路に対して集束電極が遠く位置するため、電子ビームの集束効率が低下する。
【００１１】
また、電子放出部に対して集束電極が大きな高さを確保するほど、電子ビームの集束効率が良くなるが、従来の電子放出素子は、前述のように第２絶縁層に大きい縦横比の開口部を形成するのは難しいため、集束電極の高さを大きくするには一定の限界がある。
【発明の開示】
【発明が解決しようとする課題】
【００１２】
したがって、本発明は前記問題点を解消するためのものであって、本発明の目的は、集束電極が電子ビーム経路にさらに近く位置して電子ビームの集束効率を高め、集束電極を支持する絶縁層に大きな縦横比の開口部を形成することによって、高解像度実現に有利な電子放出素子及びその製造方法を提供することにある。
【課題を解決するための手段】
【００１３】
前記目的を達成するために本発明は、基板と、基板上に形成されるカソード電極と、カソード電極に電気的に連結される電子放出部と、第１絶縁層を隔ててカソード電極上に形成され、電子放出部が基板上に露出されるようにする複数の開口部を有するゲート電極と、第２絶縁層を隔てて第１絶縁層及びゲート電極上に形成され、ゲート電極の開口部に対応する位置で、ゲート電極の開口部よりも小さな開口部を形成する集束電極と、を含む電子放出素子を提供する。
【００１４】
また、前記目的を達成するために本発明は、互いに対向配置される第１基板及び第２基板と、第１基板上に形成されるカソード電極と、カソード電極に電気的に連結される電子放出部と、絶縁層を隔ててカソード電極上に形成され、電子放出部が第１基板上に露出されるようにする複数の開口部を有するゲート電極と、第１基板及び第２基板と一定の間隔をおいて両基板の間に設置され、ゲート電極の開口部と対応する位置で、ゲート電極の開口部よりも小さな開口部を形成するグリッド電極と、を含む電子放出素子を提供する。
【００１５】
また、前記目的を達成するために本発明は、基板上にカソード電極、第１絶縁層及びゲート電極を順に形成する段階と、ゲート電極及び第１絶縁層に開口部を形成する段階と、第１絶縁層及びゲート電極上に、任意のエッチング液に対してエッチング率が大きな絶縁層からエッチング率が小さな絶縁層の順に異種絶縁層を２階以上積層し、第２絶縁層を形成する段階と、第２絶縁層上に集束電極を形成し、集束電極にゲート電極の開口部よりも小さな開口部を形成する段階と、集束電極の開口部によって露出された第２絶縁層部位をエッチングして、基板に行くほどその幅が広くなる開口部を形成する段階と、を含む電子放出素子の製造方法を提供する。
【発明の効果】
【００１６】
本発明による電子放出素子は、前述の集束電極の開口部形状によって電子ビームの直進性を高め、電子ビームの集束効率を高める。したがって、本発明による電子放出素子は、画面の色再現率を高めるなど画面品質を向上させる効果があり、電子放出構造物を構成する各要素を固執的に配置することができるので高解像度実現に有利である。
【発明を実施するための最良の形態】
【００１７】
以下、添付した図面を参照して、本発明の好ましい実施例をより詳細に説明する。
【００１８】
図１及び図２を参照すれば、電子放出素子は、内部空間部を隔てて互いに平行に配置される第１基板２と第２基板４とを含む。これら基板のうち、第１基板２には電子放出のための構成が提供され、第２基板４には、電子によって可視光を放出して所定の発光又は表示を行う構成が提供される。
【００１９】
より具体的に、第１基板２上には、カソード電極６が第１基板２の一方向（図面のｙ軸方向）に沿ってストライプパターンを形成し、カソード電極６を覆いながら第１基板２全体に第１絶縁層８が形成される。第１絶縁層８上には、ゲート電極１０がカソード電極６と直交する方向（図面のｘ軸方向）に沿ってストライプパターンを形成する。
【００２０】
カソード電極６とゲート電極１０とが交差するサブ−ピクセル領域ごとに、カソード電極１０上に少なくとも一つの電子放出部１２が形成される。そして、第１絶縁層８及びゲート電極１０には、電子放出部１２に対応する各々の開口部８ａ、１０ａが形成されて、第１基板２上に電子放出部１２が露出されるようにする。
【００２１】
前記電子放出部１２は、真空中で電界が加われば電子を放出する物質、例えばカーボン系物質又はナノメートルサイズの物質からなることができる。電子放出部１２として使用可能な物質には、カーボンナノチューブ、黒鉛、黒鉛ナノファイバー、ダイアモンド、ダイアモンド状カーボン、Ｃ６０、シリコンナノワイヤー、及びこれらの組み合わせ物質がある。
【００２２】
前記ゲート電極１０及び第１絶縁層８上に、第２絶縁層１４と集束電極１６とが形成される。第２絶縁層１４及び集束電極１６にも、第１基板２上に電子放出部１２が露出されるようにする各々の開口部１４ａ、１６ａが形成される。この時、集束電極１６には、各電子放出部１２から放出される電子ビームの経路を囲んでビームの集束効率を高めるように、電子放出部１２に一対一に対応する開口部１６ａを形成する。
【００２３】
図面では、集束電極１６が第１基板２全体に形成される場合を示したが、他の実施例として、集束電極が任意パターンに区分されて複数で形成されることができる。また、集束電極１６は蒸着による金属膜からなるか、あるいは機械加工又はエッチング工程などを通じて開口部１６ａが形成された薄い金属板からなることができる。
【００２４】
本実施例では、集束電極１６にゲート電極１０の開口部１０ａよりも小さな開口部１６ａを形成して、集束電極１６を通過する電子ビーム通過部位の直径を減少させる。そして、第２絶縁層１４は第１絶縁層８よりも大きな厚さで形成されて、集束電極１６が電子放出部１２に対して大きな高さを確保するようにする。
【００２５】
前記集束電極１６の開口部１６ａは、電子放出部１２よりも広いか又は同一な幅を有して形成される。図１及び図２では、一例として集束電極１６の開口部１６ａが電子放出部１２と同一な幅を有して形成された場合を示した。
【００２６】
前記第２絶縁層１４の開口部１４ａは、ゲート電極１０に向かった下側面から集束電極１６の位置する上側面に行くほどその幅が漸進的に狭く形成される。これにより、電子放出素子の断面をみた場合、第２絶縁層１４の開口部１４ａは、その側壁が所定の傾きを有する傾斜面に形成される。このような形状の第２絶縁層１４は集束電極１６全体を安定的に支持し、電子放出構造物の安定性を高める役割を果たす。
【００２７】
前記第２絶縁層１４は、任意のエッチング液に対して互いに異なるエッチング率を有する異種絶縁層の多層構造からなる。つまり、図３に示したように、第２絶縁層１４は２個以上（図面では４個）の異種絶縁層１８ａ、１８ｂ、１８ｃ、１８ｄからなり、これら絶縁層１８ａ、１８ｂ、１８ｃ、１８ｄは集束電極１６から遠くなるほど大きなエッチング率を有する。これにより、第２絶縁層１４を湿式エッチングすれば、集束電極１６から遠い絶縁層であるほど大幅の開口部が形成される。
【００２８】
このように本実施例で第２絶縁層１４は、電子ビームの移動経路を第１基板２から遠くなるほどその幅が狭くなる逆漏斗形状に形成し、集束電極１６は、第２絶縁層１４上で、ゲート電極１０の開口部１０ａよりも狭い幅の開口部１６ａを有して形成される。前記構造では、集束電極１６の小さくなった開口部１６ａの大きさにより、電子が集束電極１６の開口部１６ａを通過しながら一定の直進性を有するようになり、電子ビームの経路に対して集束電極１６が近く位置することができるので、電子ビームの集束効率が高まる。
【００２９】
一方、第２絶縁層１４の開口部１４ａ側壁には、図４に示したように２次電子放出層２０を形成することができる。２次電子放出層２０は、電子放出部１２から放出された電子が第１絶縁層８とゲート電極１０とを通過した後、第２絶縁層１４の開口部１４ａ側壁に突き当たる場合、２次電子を放出して電子量を倍加させる役割を果たす。２次電子放出層２０はＭｇＯなどの酸化物からなることができる。
【００３０】
次に、第１基板２に対向する第２基板４の一面には、蛍光層、例えば赤色、緑色及び青色の蛍光層２２Ｒ、２２Ｇ、２２Ｂが相互間任意の間隔をおいて形成され、各蛍光層２２の間には、画面のコントラスト向上のための黒色層２４が形成される。
【００３１】
前記蛍光層２２及び黒色層２４上には、アルミニウムのような金属膜からなるアノード電極２６が形成される。アノード電極２６は、外部から電子ビームの加速に必要な高電圧の印加を受け、蛍光層２２から放射された可視光のうち、第１基板２に向かって放射された可視光を第２基板４側に反射させて、画面の輝度を高める役割を果たす。
【００３２】
一方、アノード電極は金属膜でないＩＴＯ（Indium  Tin  Oxide）のような透明な導電膜からなることができる。この場合、アノード電極は第２基板に向かった蛍光層及び黒色層の一面に位置し、所定のパターンに区分されて複数で形成することができる。
【００３３】
前述の第１基板２及び第２基板４は、その間にスペーサ２８を配置した状態で、低融点ガラスであるガラスフリット（glass  frit）によって縁部が一体に接合され、内部空間部を真空状態に維持することによって電子放出素子を構成する。この時、スペーサ２８は、黒色層２４が位置する非表示領域に対応して位置する。
【００３４】
前記構成の電子放出素子は、外部からカソード電極６、ゲート電極１０、集束電極１６、及びアノード電極２６に所定の電圧を供給して駆動するが、例えば、カソード電極６とゲート電極１０とには数乃至数十ボルトの電圧差を有する駆動電圧が印加され、集束電極１６には数十ボルトの（−）電圧が印加され、アノード電極２６には数百乃至数千ボルトの（＋）電圧が印加される。
【００３５】
したがって、カソード電極６とゲート電極１０との間の電圧差が臨界値以上であるサブ−ピクセルで電子放出部１２の周囲に電界が形成されて、これより電子が放出され、放出された電子は、集束電極１６に印加された電圧によって発散角が小さくなる方向に力を受けて集束され、アノード電極２６に印加された高電圧に率いられて第２基板４に向かいながら、対応する蛍光層２２に衝突してこれを発光させる。
【００３６】
前記過程で、集束電極１６の小さくなった開口部１６Ａの大きさにより、電子が集束電極１６の開口部１６ａを通過しながら優れた直進性を有するようになり、電子ビームの経路に対して集束電極１６が近くに位置するので、ビームの集束効率が高まる。
【００３７】
また、図５を参照すれば、電子放出部１２から所定の傾斜角を有して広がって放出される電子と、集束電極１６の開口部１６ａを通過できずに遮断された電子とは、そのほとんどが２次電子放出層２０に突き当たるようになり、２次電子放出層２０はこの電子を受け入れて多量の２次電子を生成する。これで第２絶縁層１４の開口部１４ａ内で電子が増幅されて電子放出量が大きくなり、増幅した電子は集束電極１６の開口部１６ａを通過しながら直進性が高まる。
【００３８】
図６を参照すれば、本発明の他の実施例では前述の実施例の第２絶縁層を備えず、前述の実施例の集束電極の代わりに、金属メッシュ形状のグリッド電極を備える。
【００３９】
前記グリッド電極３０は、上下部スペーサ３２、３４によって第１基板２及び第２基板４と一定の間隔を維持しながら両基板の間に配置され、ゲート電極１０の開口部１０ａと対応する位置で、ゲート電極１０の開口部１０ａよりも小さな開口部３０ａを形成する。グリッド電極３０の小さくなった開口部３０ａの大きさによる電子ビームの集束効果は前述の実施例と同一であるので、詳細な説明は省略する。
【００４０】
図７Ａ乃至図７Ｇを参照して、本発明の第１実施例による電子放出素子の製造方法について説明する。
【００４１】
図７Ａを参照すれば、第１基板２上に導電膜をコーティングし、これをパターニングして、第１基板２の一方向に沿ってカソード電極６を形成し、第１基板２全体に絶縁物質を印刷して第１絶縁層８を形成する。カソード電極６は、例えばＩＴＯのような透明導電膜で形成し、第１絶縁層８は、スクリーン印刷を数回繰り返して大略５乃至２０μｍの厚さで形成することができる。
【００４２】
そして、第１絶縁層８上に導電膜をコーティングし、これをパターニングして、カソード電極６と直交する方向に沿ってゲート電極１０を形成すると共に、カソード電極６との交差領域に開口部１０ａを形成する。
【００４３】
図７Ｂを参照すれば、第１絶縁層８及びゲート電極１０上にフォトレジストパターン３６を形成し、フォトレジストパターン３６をマスク層として用いて第１絶縁層８をエッチングすることにより、第１絶縁層８に開口部８ａを形成する。その後、フォトレジストパターン３６を剥離して除去する。
【００４４】
図７Ｃを参照すれば、第１基板２に形成された構造物上の全体に犠牲層３８を形成し、犠牲層３８をパターニングして電子放出部の形成位置に開口部３８ａを形成した後、犠牲層３８上に電子放出物質及び感光性物質を含むペースト状混合物４０を塗布する。そして、第１基板２の後面から紫外線を照射して犠牲層３８の開口部３８ａに満たされたペースト状混合物４０を硬化させ、硬化されない混合物を除去した後、犠牲層３８を除去して、図７Ｄに示した電子放出部１２を完成する。
【００４５】
前記電子放出部１２を形成する際に犠牲層３８を用いれば、電子放出部１２がカソード電極６とゲート電極１０とにかけて形成されることを抑制して、二つの電極間のショット発生を防止することができる。電子放出部１２を形成する方法は前述の例に限定されない。
【００４６】
図７Ｄを参照すれば、第１絶縁層８の開口部８ａに、一例としてフォトレジスト物質を塗布し、電子放出部１２を保護層４２で覆う。
【００４７】
図７Ｅを参照すれば、第１絶縁層８及びゲート電極１０上に第２絶縁層１４を形成する。第２絶縁層１４は、任意のエッチング液に対して互いに異なるエッチング率を有する異種絶縁層１８ａ、１８ｂ、１８ｃ、１８ｄの多層構造からなり、大きなエッチング率を有する絶縁層から小さなエッチング率を有する絶縁層の順で形成する。第２絶縁層１４を形成する際には、第２絶縁層１４の全体の厚さを第１絶縁層８の厚さよりも大きく形成して、その後に形成される集束電極の電子ビームの集束効果を高めるようにする。
【００４８】
図７Ｆを参照すれば、第２絶縁層１４上に集束電極１６を形成し、これをパターニングして、電子放出部１２に対応する位置に開口部１６ａを形成する。この時、開口部１６ａは、ゲート電極１０の開口部１０ａよりも小さくなるように形成する。
【００４９】
そして、エッチング液を用い、集束電極１６の開口部１６ａによって露出された第２絶縁層１４部位をエッチングする。そうすると、集束電極１６から遠い絶縁層であるほど大幅の開口部が形成されて、第２絶縁層１４が逆漏斗形状の開口部１４ａが形成される。そして、電子放出部１２を覆っていた保護層４２を除去し、図７Ｇに示した電子放出構造物を完成する。
【００５０】
前記電子放出構造物を備えた第１基板２は、その後の蛍光層２２、黒色層２４及びアノード電極２６が形成された第２基板４と一体に組立てられ、内部空間部が排気されて電子放出素子を構成する。
【００５１】
前記では本発明の好ましい実施例について説明したが、本発明はこれに限定されることではなく、特許請求の範囲、明細書及び添付した図面の範囲内で多様に変形して実施するのが可能であり、これもまた本発明の範囲に属する。
【図面の簡単な説明】
【００５２】
【図１】本発明の第１実施例による電子放出素子の部分分解斜視図である。
【図２】本発明の第１実施例による電子放出素子の部分断面図である。
【図３】図２に示した第２絶縁層の部分拡大図である。
【図４】本発明の第２実施例による電子放出素子の部分拡大断面図である。
【図５】本発明の第２実施例による電子放出素子の部分拡大断面図である。
【図６】本発明の第３実施例による電子放出素子の部分断面図である。
【図７Ａ】本発明の第１実施例による電子放出素子の製造方法を説明するために示した各製造段階での概略図である。
【図７Ｂ】本発明の第１実施例による電子放出素子の製造方法を説明するために示した各製造段階での概略図である。
【図７Ｃ】本発明の第１実施例による電子放出素子の製造方法を説明するために示した各製造段階での概略図である。
【図７Ｄ】本発明の第１実施例による電子放出素子の製造方法を説明するために示した各製造段階での概略図である。
【図７Ｅ】本発明の第１実施例による電子放出素子の製造方法を説明するために示した各製造段階での概略図である。
【図７Ｆ】本発明の第１実施例による電子放出素子の製造方法を説明するために示した各製造段階での概略図である。
【図７Ｇ】本発明の第１実施例による電子放出素子の製造方法を説明するために示した各製造段階での概略図である。
【符号の説明】
【００５３】
２  第１基板
４  第２基板
６、６′  カソード電極
８  第１絶縁層
８ａ、１０ａ、１４ａ、１６ａ、３０ａ、３８ａ  開口部
１０  ゲート電極
１２  電子放出部
１４  第２絶縁層
１６  集束電極
１８  黒色層
１８ａ、１８ｂ、１８ｃ、１８ｄ  異種絶縁層
２０  電子放出層
２２  蛍光層
２４  黒色層
２６  アノード電極
２８  スペーサ
３０  グリッド電極
３６  フォトレジストパターン
３８  犠牲層
４０  ペースト状混合物
４２  保護層
【図１】
2006073510.tif 000003
【図２】
2006073510.tif 000004
【図３】
2006073510.tif 000005
【図４】
2006073510.tif 000006
【図５】
2006073510.tif 000007
【図６】
2006073510.tif 000008
【図７Ａ】
2006073510.tif 000009
【図７Ｂ】
2006073510.tif 000010
【図７Ｃ】
2006073510.tif 000011
【図７Ｄ】
2006073510.tif 000012
【図７Ｅ】
2006073510.tif 000013
【図７Ｆ】
2006073510.tif 000014
【図７Ｇ】
2006073510.tif 000015